(57)【要約】【課題】  少ない操作で医用電気機器が有する電力変換回路に電力を供給する電源装置、およびこれを用いた医用電気機器を得る。【解決手段】  外部電源に接続され、被駆動機器の駆動に必要な電圧を生成する電力変換回路と、制御器に接続され、制御器と前記被駆動機器との間での情報の送受信を行う通信端子と、前記制御器に接続され、前記制御器から直流電圧が印加される電源制御端子と、外部電源と電力変換回路の間に設けられて、電力変換回路への電力供給を制御するリレー素子と、を備え、制御器の電源投入時に電源制御端子から印加される直流電圧でリレー素子を駆動して、電力変換回路に電力を供給する、電源装置。【選択図】図１
2019117739.tif 000002
【特許請求の範囲】
【請求項１】
外部電源に接続され、被駆動機器の駆動に必要な電圧を生成する電力変換回路と、
制御器に接続され、前記制御器と前記被駆動機器との間での情報の送受信を行う通信端子と、
前記制御器に接続され、前記制御器から直流電圧が印加される電源制御端子と、
前記外部電源と前記電力変換回路の間に設けられて、前記電力変換回路への電力供給を制御するリレー素子と、
を備え、
前記制御器の電源投入時に前記電源制御端子から印加される直流電圧で前記リレー素子を駆動して、前記電力変換回路に電力を供給する、電源装置。
【請求項２】
前記電源制御端子および前記通信端子は１個の端子により構成されていて、前記制御器のポートに接続可能である、請求項１記載の電源装置。
【請求項３】
前記リレー素子は発光素子を有する光絶縁リレーであり、前記発光素子は前記電源制御端子に接続されている、請求項１又は２記載の電源装置。
【請求項４】
前記リレー素子は電磁開閉器であり、前記電磁開閉器の操作コイルは前記電源制御端子に接続されている、請求項１又は２記載の電源装置。
【請求項５】
前記制御器は機構的に動作する電源スイッチを有し、前記電源スイッチにより前記制御器の電源がオンになると、前記制御器から前記電源制御端子への直流電圧が供給され、前記電力変換回路への電力供給が開始される、請求項１乃至４のいずれかに記載の電源装置。
【請求項６】
前記リレー素子と前記制御器とを接続するケーブルをさらに備え、前記ケーブルは機構的に動作するスイッチを有し、前記スイッチは前記制御器からの前記直流電圧を前記リレー素子に伝達するか否かを切り替える、請求項１乃至５のいずれかに記載の電源装置。
【請求項７】
被駆動機器に高電圧を供給する電力変換回路と、
前記電力変換回路に接続され、前記被駆動機器の動作を制御する制御器と、
前記電力変換回路に接続され、前記電力変換回路に電力を供給する電源装置と、
を備え、
前記電源装置は、請求項１乃至６のいずれかに記載の電源装置である、医用電気機器。
【発明の詳細な説明】
【技術分野】
【０００１】
本発明は、電源装置、およびこの電源装置を有するレントゲン装置等の医用電気機器に関する。
【背景技術】
【０００２】
レントゲン装置やＸ線画像生成システム等、種々の医用電気機器においては、その制御をコンピュータなどの制御器画面上で行うものが知られている。
【０００３】
具体的には、医用電気機器は操作用の制御器を有し、制御器は医用電気機器本体内のＣＰＵ（中央演算装置、いわゆるマイクロコンピュータ）に通信ケーブルで接続されている。制御器は、通信ケーブルを介して設定信号を医用電気機器に送信して制御し、また医用電気機器本体の情報を、通信ケーブルを介して受信する。使用者は、制御器の表示部により医用電気機器を制御したり、医用電気機器の情報を得ることができる。Ｘ線照射装置においては、使用者は、制御器画面を通じてＸ線管に印加する電圧・電流・照射時間を設定したり照射結果をモニターしたりできる。
【０００４】
医用電気機器、たとえばレントゲン装置は、Ｘ線管などの被駆動機器に直流高電圧とフィラメント電流などを供給する電力変換装置、すなわちＸ線高電圧発生装置とそれを制御する制御器で構成される。
【０００５】
医用電気機器は、販売するための承認、認証などに際し、国際規格ＩＥＣ６０６０１−１（医用電気機器  第１部  基礎安全及び基本性能に関する一般要求事項）に適合することが求められている。この規格に適合するために、医用電気機器の電源オンオフは、規格に定められた機構的なスイッチで行われる必要がある。
【０００６】
しかし、レントゲン装置の電源は大型で、かつＸ線管に近い位置に配置されるため、使用者は通常は電源装置から離れた場所で制御器を介して操作を行っている。
【０００７】
図４に示すように、従来の構成においては、医用電気機器本体１０１の中に、交流電源３からトランス４５と整流器４４などからなり２４Ｖ程度の低い直流電圧を発生する起動用低電圧直流電源４３が設けられていて、起動用低電圧直流電源４３は、電磁開閉器６の操作コイル５の一極に接続されていた。操作コイル５の他極は、医用電気機器本体１０１の外に配置された機構的に動作する電源スイッチ４６に、ケーブルを介して接続されていた。
【０００８】
電源スイッチ４６がオンになると、交流電源３から起動用低電圧直流電源４３を介して電磁開閉器６の操作コイル５に直流電流が流れて電磁開閉器６がオンになり、Ｘ線高電圧発生装置７への交流電源３からの電力供給が開始される。この構成により、交流電源３からＸ線高電圧発生装置７への電流供給路を最短に保ったまま、電源スイッチ４６を離れた位置に設置できる構成になっているが、起動用直流電源４３は常時通電状態であるため待機電力が大きくなっていた。
【０００９】
なお、起動用直流電源４３を使わずに、交流電源をそのまま利用して電磁開閉器を動作させることは可能であるが、使用者が操作する電源スイッチ４６まで高い交流電源電圧を引き回すことは安全上問題があるので行われない。
【００１０】
また、医用電気機器本体１を起動する場合には、医用電気機器の機構的な電源スイッチ４６および制御器２の機構的な電源スイッチ２７を別個にオンにする必要があり、操作が煩雑であった。
【先行技術文献】
【非特許文献】
【００１１】
【非特許文献１】国際規格ＩＥＣ６０６０１−１（医用電気機器  第１部  基礎安全及び基本性能に関する一般要求事項）
【発明の概要】
【発明が解決しようとする課題】
【００１２】
本発明は、少ない操作で医用電気機器に電力を供給することを目的の１つとする。また、本発明は、機能を保ちつつ電源スイッチ専用の電源ボックスを省略し部品点数を削減することを目的の１つとする。
【００１３】
上記目的を達成するため、本発明はほとんどの制御器、例えばパーソナルコンピュータにおいて、パーソナルコンピュータの電源オンスイッチは必ず機構的なスイッチが用いられること、特に、パーソナルコンピュータのＵＳＢ端子にはパーソナルコンピュータの電源オンと同期して信号系とは別に外部供給用の直流５V、500mA程度の直流電圧を出力することが規格化されていることに着目した。
【課題を解決するための手段】
【００１４】
上記目的を達成するため、本発明の一の観点に係る電源装置は、外部電源に接続され、被駆動機器の駆動に必要な電圧を生成する電力変換回路と、制御器に接続され、制御器と被駆動機器との間での情報の送受信を行う通信端子と、制御器に接続され、制御器から直流電圧が印加される電源制御端子と、外部電源と電力変換回路の間に設けられて、電力変換回路への電力供給を制御するリレー素子と、を備え、制御器の電源投入時に電源制御端子から印加される直流電圧でリレー素子を駆動して、電力変換回路に電力を供給する。
【００１５】
前記電源制御端子および前記通信端子は１個の端子により構成されていて、前記制御器の端子に接続可能であるものとしてもよい。
【００１６】
前記リレー素子は発光素子を有する光絶縁リレーであり、前記発光素子は前記電源制御端子に接続されているものとしてもよい。
【００１７】
前記リレー素子は電磁開閉器であり、前記電磁開閉器の操作コイルは前記電源制御端子に接続されているものとしてもよい。
【００１８】
前記制御器は機構的に動作する電源スイッチを有し、前記電源スイッチにより前記制御器の電源がオンになると、前記制御器から前記電源制御端子への直流電圧が供給され、前記電力変換回路への電力供給が開始されるものとしてもよい。
【００１９】
前記リレー素子と前記制御器とを接続するケーブルをさらに備え、前記ケーブルは機構的に動作するスイッチを有し、前記スイッチは前記制御器からの前記直流電圧を前記リレー素子に伝達するか否かを切り替えるものとしてもよい。
【００２０】
また、本発明の別の観点に係る医用電気機器は、被駆動機器に高電圧を供給する電力変換回路と、前記電力変換回路に接続され、前記被駆動機器の動作を制御する制御器と、前記電力変換回路に接続され、前記電力変換回路に電力を供給する電源装置と、を備え、前記電源装置は、上述のいずれかに記載の電源装置である、医用電気機器である。
【発明の効果】
【００２１】
本発明によれば、電源スイッチ専用の有線コントローラが不要になり、部品点数を削減することができる。また、起動用直流電源がなく待機電力を抑えることができる。また、少ない操作で医用電気機器本体に電力を供給することができる。
さらに、従来は、医用電気機器本体と制御器のどちらが先に起動するかは使用者により不定なので、医用電気機器の起動シーケンスは、どちらが先に起動しても対応できるようにするため、複雑となっていた。本発明では、医用電気機器本体よりも制御器が必ず先行してオンすることが保証されるので、医用電気機器の起動シーケンスの設計がシンプルになる。
【図面の簡単な説明】
【００２２】
【図１】本発明にかかる医用電気機器の実施の形態を示す回路構成図である。
【図２】本発明にかかる医用電気機器の別の実施の形態を示す回路構成図である。
【図３】本発明にかかる医用電気機器のさらに別の実施の形態を示す回路構成図である。
【図４】従来の医用電気機器を示す回路構成図である。
【発明を実施するための形態】
【００２３】
●医用電気機器（１）●
以下、本発明にかかる医用電気機器の例として、Ｘ線照射装置の実施の形態について、図面を参照しながら説明する。
【００２４】
本発明にかかる第１実施形態を図１に示す。医用電気機器１１１は例えばレントゲン装置であり、主に医用電気機器本体１および医用電気機器本体１を操作するための制御器２からなる。
【００２５】
医用電気機器本体１は、受電端子４と、Ｘ線高電圧発生装置７と、Ｘ線管８と、リレー素子１５と、通信・電源制御コネクタ１１を有する。受電端子４は、外部の交流電源３に接続される端子である。本体１は、受電端子４から外部の交流電源３を受電して、リレー素子１５が有する電磁開閉器６に通電する。交流電源３は、電磁開閉器６を通してＸ線高電圧発生装置７に接続されている。Ｘ線高電圧発生装置７の出力端１７は、Ｘ線管８に接続されている。Ｘ線高電圧発生装置７は、電力変換回路の例である。Ｘ線管８は、被駆動機器の例である。
【００２６】
Ｘ線高電圧発生装置７は内部の情報処理部９で制御される。情報処理部９は、ＣＰＵ、ＲＡＭ、通信処理回路により構成されている。情報処理部９は通信端子１０を有する。通信端子１０は、医用電気機器本体１の外部に配置される制御器２に接続可能に構成されている。
【００２７】
通信・電源制御コネクタ１１は、通信端子１０および電源制御端子１２、１３を一体にして構成されたコネクタである。電磁開閉器６の操作コイル５の両端は、電源制御端子１２、１３にそれぞれ接続される。
【００２８】
電力変換回路７、通信端子１０、電源制御端子１２乃至１３、およびリレー素子１５は、電源装置を構成する。本実施の形態においては、電源装置は、医用電気機器１１１の構成の１つである医用電気機器本体１の中に組み込まれており、制御器２の電源投入に基づいて所定の電圧を生成して、被駆動機器８を駆動する。なお、電源装置は、電力変換回路７の外部に配置され、適宜の構成により電力変換回路７に接続されるように構成されてもよい。
【００２９】
Ｘ線高電圧発生装置７は、Ｘ線管８を駆動するのに必要な電力を発生させる。Ｘ線高電圧発生装置７は、例えばスイッチングレギュレータ、フルブリッジまたはハーフブリッジ回路を構成する複数の半導体スイッチ素子、変圧器、整流器、電圧の制御や外部との入出力のための情報処理部９等を備える。Ｘ線高電圧発生装置７は、交流電源３から供給される交流電流を、整流器により直流化し、ＩＧＢＴブリッジ回路によるインバータで交流電圧を発生させる。変圧器はこの交流電圧を昇圧し、整流器が変圧器により昇圧される電圧を整流することで、Ｘ線高電圧発生装置７は所定の直流高電圧を発生させる。交流電源３は、例えば２００Ｖの商用電源である。変圧器の２次巻線側の電圧は、例えば４０ｋＶ乃至１５０ｋＶ程度である。ただし、変圧器の電圧はこれに限られず、２００ｋＶ乃至４００ｋＶ程度や、さらに高い出力の変圧器であってもよい。上記高電圧は、Ｘ線管８に必要なタイミングで供給される。
【００３０】
通信端子１０は、制御器２と医用電気機器本体１との間で互いに信号を送受信する端子である。制御器２の制御器コネクタ２１を通じて入出力される信号は、情報処理部９等によって処理され、制御器２からの医用電気機器本体１の操作および測定データ取得を可能にする。
【００３１】
通信・電源制御コネクタ１１は、ケーブルを介して制御器２の制御器コネクタ２１に接続され、制御器コネクタ２１から直流電圧が印加され得る端子である。
【００３２】
通信・電源制御コネクタ１１は２個の電源制御端子１２、１３を有する。電源制御端子１２と１３間の電圧は例えば５Ｖである。２個の電源制御端子１２、１３のそれぞれは、医用電気機器本体１の内部で操作コイル５に接続されている。
【００３３】
通信・電源制御コネクタ１１は、制御器２が有する、例えば１個のＵＳＢ(Universal Serial Bus)端子で構成される制御器コネクタ２１に接続されている。すなわち、電源制御端子１２、１３は、制御器２からの直流電圧がＵＳＢ給電により印加される。通信・電源制御コネクタ１１も１個のＵＳＢ端子に含む構成によれば、部品点数およびケーブル本数を少なくすることができる。
【００３４】
なお、通信・電源制御コネクタ１１は、電源端子を有するコネクタであればよく、例えばＩＥＥＥ１３９４コネクタであってもよい。この場合のケーブルは、ＩＥＥＥ１３９４ケーブルである。
【００３５】
なお、情報処理部９の通信端子１０は、物理的な接続端子に代えてBluetooth（登録商標）の送受信機であってもよい。この場合、制御器２も通信端子１０と無線で通信可能な送受信機を有し、これらの送信機および受信機により情報を送受信することができる。
【００３６】
リレー素子１５は、例えばソリッドステートリレーやフォトリレーを用いた光絶縁リレーである。光絶縁リレーとは、入力側にＬＥＤを用いて、出力側のデバイスとしてフォトトライアック／フォトトランジスタ／フォトサイリスタ等の半導体デバイスを用いたリレーで、フォトトライアック/フォトサイリスタは交流負荷に限定される。
【００３７】
フォトリレーは入力側の発光ダイオードと出力側MOSFETで構成されたフォトカプラで、メカニカルリレーと比べて長寿命・低電流駆動・高速応答といった点で優れている。
【００３８】
リレー素子１５は、発光素子としての発光ダイオードおよび受光素子としてのフォトトランジスタにより構成されていてもよい。リレー素子１５の入力端は、電源制御端子１２に接続されている。リレー素子１５の出力端は、Ｘ線高電圧発生装置７と交流電源３との接続を制御している。
【００３９】
リレー素子１５は、これに代る電磁開閉器であってもよい。電磁開閉器の場合も配線は同様となる。ＵＳＢの電源供給端子が、電磁開閉器６を直接駆動できる電力を供給できる場合、制御器２からのＵＳＢ給電により電磁開閉器６をオンオフし、電力変換回路７と交流電源３との接続を制御することができる。
【００４０】
給電端子２６は、ケーブル等を介して医用電気機器本体１に接続される端子である。給電端子２６は、制御器コネクタ２１からリレー素子１５に給電する。また、通信ケーブル２８は、Ｘ線高電圧発生装置およびその周辺機器、例えばＸ線管、コリメータ等からの情報を制御器２に伝達する。さらに、医用電気機器本体１は、制御器２からの命令を通信・電源制御コネクタ１１から受信して、各種制御を行う。
【００４１】
制御器２は、例えばコンピュータである。制御器２は、具体的には汎用のパーソナルコンピュータであってもよい。また、制御器２は、医用電気機器用に構成された特別なコンピュータであってもよい。
【００４２】
制御器２は、図示を省略された伝達部および操作部、ならびに制御器コネクタ２１、電源スイッチ２７を備える。
【００４３】
伝達部は、制御器コネクタ２１を介して受信されるＸ線高電圧発生装置７からの情報を使用者に伝達する種々の構成であり、具体的には画面などの表示部や、スピーカー等である。
【００４４】
制御器２の画面には、Ｘ線管電圧(kV)、Ｘ線管電流(mA)の設定値をアップダウンするアップダウンボタン２０１と、その設定値を表示する表示器２２２、その他アナトミカル プログラミング撮影（APR）用の部位ボタン２２３などが表示される。
【００４５】
操作部は、使用者が操作することでＸ線高電圧発生装置７への命令を生成する種々の構成であり、具体的には、キーボードやマウス等である。コンピュータがタブレット型の場合は、キーボードやマウスの無いタッチパネルでもよい。
【００４６】
制御器コネクタ２１は、通信・電源制御コネクタ１１と接続される端子である。制御器コネクタ２１は、例えばＵＳＢ端子であり、制御器２からその外部へ電流を供給することに用いられる。
【００４７】
制御器コネクタ２１はＸ線照射装置の通信端子１０に対し操作情報や測定情報を送受信するための制御器通信端子２５を有する。制御器通信端子２５からの通信信号はシリアル変換されて、通信・電源制御コネクタ１１を通して情報処理部９の通信端子１０に接続される。
【００４８】
また、制御器コネクタ２１には、外部供給用の給電端子２６がある。給電端子２６は、通信・電源制御コネクタ１１が有する電源制御端子１２、１３を通して操作コイル５に接続される。給電端子２６から供給される電源は、例えば５Ｖの直流電圧である。  
【００４９】
電源スイッチ２７は機構的なスイッチであり、例えば押しボタンスイッチや、切替スイッチである。使用者は、電源スイッチ２７を操作することにより、制御器２の電源のオンおよびオフを切り替えることができる。
【００５０】
またＸ線高電圧発生装置７は、ハンドスイッチ４０に接続されている。ハンドスイッチ４０は、Ｘ線高電圧発生装置７に交流電源３からの電力供給が行われているときに、Ｘ線高電圧発生装置７からＸ線管８への通電状態を制御するためのスイッチである。ハンドスイッチ４０は、Ｘ線高電圧発生装置７内において互いに異なる箇所に接続される第１スイッチ４１および第２スイッチ４２を有する。第１スイッチ４１および第２スイッチ４２は、使用者が物理的に操作可能なスイッチであり、例えば押しボタンスイッチや、切替スイッチである。
【００５１】
制御器２は、電源スイッチ２７がオンになると、制御器２の電源がオンになると共に、給電端子２６に直流電圧が印加されるように構成されている。給電端子２６に印加される電圧は、給電端子２６に接続されるケーブルを介して医用電気機器本体１の電源制御端子１２、１３に供給される。電源制御端子１２、１３に電圧が印加されると、リレー素子１５がオンになるのに十分な電流が流れる。リレー素子１５がオンになると、交流電源３からＸ線高電圧発生装置７への電力供給が開始されて、制御用のマイコンの起動や電源コンデンサへの充電が行われて、Ｘ線照射装置がいつでもＸ線管８からＸ線の照射を開始できる運転準備状態へと遷移する。運転準備状態でハンドスイッチ４０による操作が行われると、第１スイッチ４１の操作でＸ線管８のフィラメント通電が行われ、第２スイッチ４２の操作でＸ線照射が行われる。
【００５２】
制御器２の電源スイッチ２７がオフにされて制御器２が電源オフの状態になると、給電端子２６に電圧が印加されなくなるため、リレー素子１５に流れる電流がオフになる。したがって、リレー素子１５がオフになり、交流電源３はＸ線高電圧発生装置７への電力供給を停止する。また、電源制御端子１２、１３と給電端子２６とを接続するケーブルが抜かれた場合も同様に、自動でリレー素子１５がオフになりＸ線高電圧発生装置７への電力供給が停止する。
【００５３】
このように、本発明にかかる医用電気機器の実施形態によれば、制御器２の電源スイッチ２７をオンにすることで、交流電源３からＸ線高電圧発生装置７への電力供給を開始することができる。したがって、本体１および制御器２の電源を別個の操作で起動させていた従来の構成と比較して、少ない操作で医用電気機器に電源を印加することができる。また、本構成によれば本体１および制御器２が電源スイッチを共用するため、本体１に機構的に動作する電源スイッチを配置する必要がない。したがって、従来の構成と比較して少ない部品点数で医用電気機器を構成することができる。
【００５４】
また、本発明にかかる医用電気機器の実施形態によれば、通信・電源制御コネクタ１１と制御器２の制御器コネクタ２１とを接続するケーブルが抜かれた場合、医用電気機器への電力供給が停止する。したがって、不測の事態でケーブルによる接続が外れた場合にも、直ちに医用電気機器を緊急停止させることができる。従来は、医用電気機の電源スイッチと制御器２の電源スイッチが別個に設けられており、使用者は通常制御器２の傍にいるため、緊急停止の場合には電源スイッチまで急いで移動する必要があった。これに対し本発明にかかる医用電気機器によれば、制御器２の傍にいながら医用電気機器をオフにすることができる。
【００５５】
さらに、本発明にかかる医用電気機器の実施形態によれば、医用電気機器本体１に機構的なスイッチを設ける必要がないため、医用電気機器本体１を小型にすることができる。したがって、本発明にかかる電源装置は、ポータブルなＸ線照射装置に適用する場合にも有用である。
【００５６】
さらに、本発明にかかる医用電気機器の実施形態によれば、Ｘ線照射装置が電源オフの時はリレー素子１５により交流電源３とＸ線高電圧発生装置７が電気的に遮断されており、待機電力をほぼゼロにすることができる。
【００５７】
●医用電気機器（２）●
本発明にかかる医用電気機器の別の実施形態について、先に説明した実施の形態と異なる部分を中心に説明する。本実施の形態は、制御器２のUSB供給電流では電磁開閉器の操作コイルを直接駆動するには不十分な場合で、第２リレー素子が交流電源および起動用補助電源間の導通を制御する点において、先に説明した実施の形態と異なる。なお、以降の説明において、第１の実施形態と同様の構成については同一の符号を付した。
【００５８】
図２に示すように、医用電気機器本体２１１は、操作コイル５を有する主回路の電磁開閉器６と、起動用補助電源の入力に挿入された第２リレー素子としてのフォトトライアック５１を有する。
【００５９】
フォトトライアック５１は、発光ダイオード５２、およびフォトトライアック５３により構成されている。なお、第２リレー素子５１は、第１リレー素子と同様電磁開閉器であってもよいが、操作コイルの駆動電流が、USBの供給可能電流より小さくなければならない。
【００６０】
発光ダイオード５２は、電源制御端子１２、１３に接続されている。尚、発光ダイオード５２には、直列に電流制限抵抗５４を接続することが望ましい。
【００６１】
フォトトライアック５１は、交流電源３と起動用直流電源４３の入力間の導通を制御している。電源スイッチ２７が押されて制御器２が起動し、電源制御端子１２、１３に直流電圧が印加されると、発光ダイオード５２がオンになり、フォトトライアック５１がオンして、起動用直流電源トランス４５と整流器４４を介して操作コイル５がオンになるのに十分な直流電流が流れる。電磁開閉器６がオンになると、交流電源３からＸ線高電圧発生装置７への電力供給が開始されて、運転準備状態へ遷移する。
【００６２】
図２の医用電気機器２１１によれば、制御器２から電源制御端子１２に供給される電力が不足して、コイル電圧やコイル電流が大きな電磁開閉器６の操作コイル５を直接駆動できない場合にあっても、より小さなリレー素子５１を介して電磁開閉器６を駆動することができる。
【００６３】
●医用電気機器（３）●
本発明にかかる医用電気機器の別の実施形態について、先に説明した実施の形態と異なる部分を中心に説明する。本実施の形態は、医用電気機器本体の電源制御端子と制御器を接続するケーブルが直列にスイッチが設けられている点において、先に説明した実施の形態と異なる。なお、以降の説明において、第１の実施形態と同様の構成については同一の符号を付した。
【００６４】
図３に示すように、医用電気機器３１１においては、制御器２と医用電気機器本体１を接続するケーブルにスイッチ３５が直列に設けられている。スイッチ３５は例えば押しボタンスイッチや、切替スイッチ等の機構的なスイッチである。スイッチ３５は、例えば制御器２との接続部の付近、制御器２の操作者がすぐに操作できる位置に設けられている。電源スイッチ２７の場合と同様に、スイッチ３５のオンオフによって給電端子２６への給電状態が切り替わり、医用電気機器本体１の電源オンオフを操作することができる。
【００６５】
第３実施形態に係る医用電気機器によれば、例えばケーブルとしてＵＳＢケーブルまたはＩＥＥＥ１３９４ケーブルを用いた場合、新たにケーブルやコントローラを追加することなく、従来の電源スイッチ専用の有線コントローラと同等の機能を実現することができる。また、普段はスイッチ３５をオンにしたまま使用する場合、第１実施形態の場合と同様に、普段のスイッチ操作の負担を減らしつつ、スイッチ３５を緊急停止時の遮断スイッチとして使うことができる。
【００６６】
また、第３の実施形態においては、制御器２はその起動状態に関わらず、常に給電端子２６に直流電圧を供給するようにしても良い。その場合、スイッチ３５が医用電気機器の電源をオンオフする物理的なスイッチとして機能する。
【００６７】
上記した実施形態では、医用電気機器としてＸ線照射装置を例示したが、本発明はこれに限定されるわけではなく、他の医用電気機器や、同様の課題を持つ医用以外の電気機器にも適用可能である。
【符号の説明】
【００６８】
１        医用電気機器本体
２        制御器
７        電力変換回路
１１      通信端子
１２      電源制御端子
１３      電源制御端子
１５      リレー素子
１１１    医用電気機器
【図１】
2019117739.tif 000003
【図２】
2019117739.tif 000004
【図３】
2019117739.tif 000005
【図４】
2019117739.tif 000006